(57)【要約】  筐体の小型化を図りつつ、バッテリや回路基板などの電気部品の配置による電気音響変換器の音質への影響を抑制することが可能なワイヤレスイヤホンを提供する。  音源Ｓからの音声信号に応じた音波を出力する電気音響変換器１４と、無線通信回線を介して音源Ｓからの音声信号を受信する受信回路１５１と、受信回路１５１が取り付けられた回路基板１５と、回路基板１５と電気音響変換器１４とを収容する筐体１１と、を有してなり、筐体１１は、電気音響変換器１４を収容する第１筐体１１Ａと、回路基板１５を収容する第２筐体１１Ｂと、を備えることを特徴とする。
2019142375.tif 000002
【特許請求の範囲】
【請求項１】
音源からの音声信号に応じた音波を出力する電気音響変換器と、
無線通信回線を介して前記音源からの音声信号を受信する受信回路と、
前記受信回路が取り付けられた回路基板と、
前記回路基板と前記電気音響変換器とを収容する筐体と、
を有してなり、
前記筐体は、
前記電気音響変換器を収容する第１筐体と、
前記回路基板を収容する第２筐体と、
を備える、
ことを特徴とするワイヤレスイヤホン。
【請求項２】
前記音波が通る内部空間を備える音導管、
を備え、
前記第１筐体は、
前記内部空間と連通する第１空間、
を備える、
請求項１記載のワイヤレスイヤホン。
【請求項３】
前記第１筐体は、前記第２筐体と接合し、
前記第２筐体は、
前記第１空間と連通する第２空間、
を備える、
請求項２記載のワイヤレスイヤホン。
【請求項４】
前記第１空間は、前記電気音響変換器により、
前記内部空間と連通する前部空間と、
前記第２空間側に位置する後部空間と、
に区画される、
請求項３記載のワイヤレスイヤホン。
【請求項５】
前記第１筐体は、
第１ハウジングと、
前記第１ハウジングと接合する第２ハウジングと、
を備え、
前記第２筐体は、
前記第２ハウジングと、
前記第２ハウジングと接合する第３ハウジングと、
を備える、
請求項３記載のワイヤレスイヤホン。
【請求項６】
前記第１ハウジングは、前記音導管を備え、
前記第１ハウジングは、前記音導管と一体に構成される、
請求項５記載のワイヤレスイヤホン。
【請求項７】
前記第１ハウジングは、前記音導管と別体に構成され、
前記第１ハウジングは、前記音導管と接合する、
請求項５記載のワイヤレスイヤホン。
【請求項８】
前記第２ハウジングは、
前記第１空間と前記第２空間とを連通させる連通孔、
を備える、
請求項５記載のワイヤレスイヤホン。
【請求項９】
前記第２ハウジングは、
括れ部、
を備え、
前記ワイヤレスイヤホンが使用者の耳に装着されているとき、前記括れ部の一部は、前記耳の対珠に支持される、
請求項５記載のワイヤレスイヤホン。
【請求項１０】
前記電気音響変換器は、前記連通孔に挿通される信号線を介して前記回路基板に接続される、
請求項８記載のワイヤレスイヤホン。
【請求項１１】
前記信号線が挿通されている前記連通孔は、封鎖される、
請求項１０記載のワイヤレスイヤホン。
【請求項１２】
前記第１筐体が耳甲介腔に配置されているとき、前記第２筐体の少なくとも一部は前記耳甲介腔の外部に露出する、
請求項１記載のワイヤレスイヤホン。
【請求項１３】
前記受信回路に電力を供給するバッテリ、
を備え、
前記バッテリは、前記第２筐体に収容される、
請求項１記載のワイヤレスイヤホン。
【発明の詳細な説明】
【技術分野】
【０００１】
本発明は、ワイヤレスイヤホンに関する。
【背景技術】
【０００２】
イヤホンの型式の１つとして、カナル型イヤホン（以下「イヤホン」という。）がある。一般的に、イヤホンは、左右一対の放音ユニットを有してなる。【０００３】
各放音ユニットは、筐体と、電気音響変換器と、音導管と、イヤピースと、コードと、を備える。筐体は、その内部に内部空間を備え、同空間に電気音響変換器を収容する。電気音響変換器は、携帯型楽音再生機などの音源からの音声信号に応じた音波を出力する。筐体の全部、または、一部は、イヤホンが使用者の耳に装着された時（以下「装着時」という。）に使用者の耳甲介腔に配置される。筐体の内部空間は、電気音響変換器により、電気音響変換器の前方（イヤホン装着時における使用者の頭部側の方向）の空間（前部空間）と、電気音響変換器の後方（イヤホン装着時における使用者の頭部側の方向と反対側の方向）の空間（後部空間）と、に区画される。音導管は、筐体に取り付けられる。音導管は、イヤホンの使用時に電気音響変換器からの音波を使用者の外耳道内の空間に導く。イヤピースは、音導管に取り付けられる。イヤピースは、装着時に使用者の外耳道の内壁と密着する。その結果、外耳道内の空間は、音導管を介して、前部空間と連通する。【０００４】
コードは、電気音響変換器と音源とを接続し、音源からの音声信号を電気音響変換器に供給する。コードは、電気音響変換器に音声信号を導く芯線と、芯線を保護する被膜と、を備える。【０００５】
近年、音導管の内部に電気音響変換器を配置することで筐体を小さくしたイヤホンが提案されている（例えば、特許文献１参照）。
【先行技術文献】
【特許文献】
【０００６】
【特許文献１】特開２０１０−８１３０６号公報
【発明の概要】
【発明が解決しようとする課題】
【０００７】
特許文献１に開示されたイヤホンでは、音導管の内部に電気音響変換器が配置されるため、電気音響変換器の大きさは音導管の内径に収まる大きさに制限される。電気音響変換器の大きさが小さくなると、その内部に配置される振動板の大きさも小さくなり、振動板の大きな電気音響変換器に比べて、音質が劣化してしまう。【０００８】
一方、コードを備えるイヤホンでは、コードが筐体と音源とに接続される。そのため、使用者の動きが制限されやすく、コードが強く引かれことによる芯線の断線や、イヤホンの使用者の耳からの脱落、などが発生し得る。【０００９】
そこで、近年、コードを備えないワイヤレス型のイヤホン（以下「ワイヤレスイヤホン」という。）が提案されている。ワイヤレスイヤホンは、例えば、ブルートゥース（登録商標）などの無線通信回線を介して音源からの音声信号を受信する。ワイヤレスイヤホンには、左右の放音ユニットがケーブルで連結されたワイヤレスイヤホンと、左右の放音ユニットが完全に独立した（左右の放音ユニットがケーブルで連結されていない）、いわゆる完全ワイヤレスイヤホンと、がある。完全ワイヤレスイヤホンは左右の放音ユニットを接続するケーブルを備えないため、左右の放音ユニットがケーブルで連結されたワイヤレスイヤホンよりも、放音ユニットのデザインの自由度が高い。【００１０】
ここで、完全ワイヤレスイヤホンには、筐体内にバッテリや回路基板などの電気部品が配置される。筐体の内部空間において、バッテリや回路基板などの電気部品は、電気音響変換器の後部空間に配置される。【００１１】
しかし、後部空間において、電気音響変換器が、バッテリや回路基板などの電気部品の近くに配置されると、後部空間の音響特性が変化して、電気音響変換器の音質（電気音響変換器から出力される音波の音質）が劣化する。一方、電気音響変換器と、バッテリや回路基板などの電気部品と、を離して配置すると、筐体の内部空間の容積が増え、筐体が大きくなる。この場合、前述のとおり、筐体の全部または一部が使用者の耳甲介腔に配置されるため、筐体が大きくなると、使用者のイヤホンの装着感が悪化する。【００１２】
一方、特許文献１に開示されたイヤホンのように電気音響変換器を音導管に配置することにより、筐体の内部空間に空きができてバッテリや回路基板などの電気部品を配置することができる。しかし、前述のとおり、音導管に配置された電気音響変換器の大きさは小さいものに制限されるため、電気音響変換器の音質は劣化する。【００１３】
本発明は、以上のような従来技術の問題点を解消するためになされたもので、筐体の小型化を図りつつ、バッテリや回路基板などの電気部品の配置による電気音響変換器の音質への影響を抑制することが可能なワイヤレスイヤホンを提供することを目的とする。
【課題を解決するための手段】
【００１４】
本発明にかかるワイヤレスイヤホンは、音源からの音声信号に応じた音波を出力する電気音響変換器と、無線通信回線を介して音源からの音声信号を受信する受信回路と、受信回路が取り付けられた回路基板と、回路基板と電気音響変換器とを収容する筐体と、を有してなり、筐体は、電気音響変換器を収容する第１筐体と、回路基板を収容する第２筐体と、を備えることを特徴とする。
【発明の効果】
【００１５】
本発明によれば、筐体の小型化を図りつつ、バッテリや回路基板などの電気部品の配置による電気音響変換器の音質への影響を抑制することができる。
【図面の簡単な説明】
【００１６】
【図１】本発明にかかるワイヤレスイヤホンの実施の形態を示す斜視図である。
【図２】図１のワイヤレスイヤホンが備える左放音ユニットの正面図である。
【図３】図２の左放音ユニットのＡ−Ａ線断面図である。
【図４】図１のワイヤレスイヤホンの機能ブロック図である。
【発明を実施するための形態】
【００１７】
●ワイヤレスイヤホン●
以下、図面を参照しながら、本発明にかかるワイヤレスイヤホンの実施の形態について説明する。
【００１８】
図１は、本発明にかかるワイヤレスイヤホンの実施の形態を示す斜視図である。
【００１９】
ワイヤレスイヤホン１は、ワイヤレスイヤホン１の使用者の耳に装着されて、携帯型楽音再生機などの音源Ｓ（図４参照）からの音声信号に応じた音波を出力する。ワイヤレスイヤホン１は、例えば、ブルートゥース（登録商標）などの無線通信回線を介して音源Ｓからの音声信号を受信する。
【００２０】
ワイヤレスイヤホン１は、左放音ユニット１０と、右放音ユニット２０と、を有してなる。ワイヤレスイヤホン１は、左放音ユニット１０と右放音ユニット２０とがケーブルなどにより連結されておらず完全に独立した、いわゆる完全ワイヤレスイヤホンである。
【００２１】
以下の説明において、ワイヤレスイヤホン１に対する前方は、ワイヤレスイヤホン１が使用者の頭部に装着された状態（以下「装着状態」）における使用者の頭部側の方向（図３の紙面左側の方向）である。ワイヤレスイヤホン１に対する後方は、装着状態における使用者の頭部側の方向と反対側の方向（図３の紙面右側の方向）である。
【００２２】
●ワイヤレスイヤホンの構成●
図２は、左放音ユニット１０の正面図である。
図３は、左放音ユニット１０の図２におけるＡ−Ａ線断面図である。
【００２３】
先ず、左放音ユニット１０について説明する。
左放音ユニット１０は、使用者の左耳に装着されて、音源Ｓ（図４参照）からの音声信号に応じた音波を出力する。左放音ユニット１０は、左筐体１１と、左音導管１２と、左イヤピース１３と、左電気音響変換器１４と、左回路基板１５と、左バッテリ１６と、を備える。
【００２４】
左筐体１１は、左電気音響変換器１４と、左回路基板１５と、左バッテリ１６と、を収容する。左筐体１１は、例えば、プラスチックなどの合成樹脂製である。左筐体１１は、第１ハウジング１１１と、第２ハウジング１１２と、第３ハウジング１１３と、を備える。
【００２５】
第１ハウジング１１１は、第２ハウジング１１２と共に、左電気音響変換器１４を収容する。第１ハウジング１１１は、後方に開口する略椀状である。第１ハウジング１１１は、底部に連通孔１１１ｈを備える。連通孔１１１ｈについては、後述する。
【００２６】
第２ハウジング１１２は、第１ハウジング１１１と共に左電気音響変換器１４を収容する。また、第２ハウジング１１２は、第３ハウジング１１３と共に左回路基板１５と左バッテリ１６とを収容する。第２ハウジング１１２は、前方向と後方向とに開口する略鼓状である。第２ハウジング１１２は、括れ部１１２１と仕切部１１２２とを備える。
【００２７】
括れ部１１２１は、装着状態において、使用者の左耳の対珠に配置され、左筐体１１を同左耳に固定する。
【００２８】
仕切部１１２２は、括れ部１１２１の内側に配置され、第２ハウジング１１２の内部の空間を前後に区画する（仕切る）。仕切部１１２２は、連通孔１１２２ｈを備える。連通孔１１２２ｈは、仕切部１１２２の中央に配置され、仕切部１１２２で前後に仕切られた第２ハウジング１１２の内部の空間同士を連通させる。
【００２９】
第３ハウジング１１３は、第２ハウジング１１２と共に左回路基板１５と左バッテリ１６とを収容する。第３ハウジング１１３は、略皿状である。
【００３０】
第１ハウジング１１１は、第２ハウジング１１２の前側の開口に接合され、同開口を覆う。第３ハウジング１１３は、第２ハウジング１１２の後側の開口に接合され、同開口を覆う。その結果、第１ハウジング１１１は、第２ハウジング１１２の仕切部１１２２より前側の部分と共に、本発明における第１筐体１１Ａを構成する。一方、第３ハウジング１１３は、第２ハウジング１１２の仕切部１１２２より後側の部分と共に、本発明における第２筐体１１Ｂを構成する。すなわち、左筐体１１は、仕切部１１２２（括れ部１１２１）を境界として、第１筐体１１Ａと、第１筐体１１Ａの後方に配置される第２筐体１１Ｂと、を備える。換言すれば、第１筐体１１Ａは、仕切部１１２２（括れ部１１２１）において、第２筐体１１Ｂと接合する。
【００３１】
第１筐体１１Ａは、第１ハウジング１１１と第２ハウジング１１２とを備える。第２筐体１１Ｂは、第２ハウジング１１２と第３ハウジング１１３とを備える。すなわち、第２ハウジング１１２は、第１筐体１１Ａと第２筐体１１Ｂとに共通する部材である。
【００３２】
第１筐体１１Ａは、左電気音響変換器１４を収容する。第１筐体１１Ａは、左筐体１１の仕切部１１２２よりも前側の部分である。第１筐体１１Ａは、その内部に第１空間Ｒ１を備える。第１空間Ｒ１は、第１ハウジング１１１と第２ハウジング１１２とにより形成（区画）される第１筐体１１Ａの内部の空間である。
【００３３】
第２筐体１１Ｂは、左回路基板１５と左バッテリ１６とを収容する。第２筐体１１Ｂは、左筐体１１の仕切部１１２２よりも後側の部分である。第２筐体１１Ｂは、その内部に第２空間Ｒ２を備える。第２空間Ｒ２は、第２ハウジング１１２と第３ハウジング１１３とにより形成（区画）される第２筐体１１Ｂの内部の空間である。第２空間Ｒ２は、連通孔１１２２ｈを介して、第１空間Ｒ１と連通する。
【００３４】
左音導管１２は、使用時に左電気音響変換器１４からの音波を使用者の外耳道に導く。左音導管１２は、略円筒状である。すなわち、左音導管１２は、その内部に左電気音響変換器１４からの音波が通る空間（以下「内部空間」という。）１２１Ｒを備える。左音導管１２は、第１ハウジング１１１の前方に配置され、第１ハウジング１１１の底部から前方の下方向（図３の紙面下方向）に突出するように、第１ハウジング１１１と一体に構成される。換言すれば、第１ハウジング１１１は、底部から突出した左音導管１２を備える。内部空間１２１Ｒは、第１空間Ｒ１と連通する。
【００３５】
なお、左音導管は、内部空間が第１空間と連通していれば、第１ハウジングと別体に構成されてもよい。すなわち、例えば、左音導管は、第１ハウジングの底部に接合され、第１ハウジングの底部から突設されてもよい。つまり、第１ハウジングは、左音導管と接合する構成であってもよい。
【００３６】
左イヤピース１３は、装着状態おいて使用者の外耳道の内壁と密着する。左イヤピース１３は、左音導管１２の外周面に取り付けられる。左イヤピース１３は、例えば、シリコンゴムなどの弾性材製である。左イヤピース１３は、前端側が断面視Ｕ字状に折り返された略二重筒状である。
【００３７】
左電気音響変換器１４は、音源Ｓからの音声信号に応じた音波を出力する。左電気音響変換器１４は、例えば、ダイナミック型の電気音響変換器である。左電気音響変換器１４は、左筐体１１のうち、第１筐体１１Ａの第１空間Ｒ１に配置される（第１筐体１１Ａに収容される）。第１空間Ｒ１は、図３に示されるように、左電気音響変換器１４により、前部空間Ｒ１１と後部空間Ｒ１２とに区画される。
【００３８】
前部空間Ｒ１１は、第１空間Ｒ１のうち、左電気音響変換器１４よりも前方の空間である。後部空間Ｒ１２は、第１空間Ｒ１のうち、左電気音響変換器１４よりも後方の空間であり、第２空間Ｒ２側に位置する。前部空間Ｒ１１と後部空間Ｒ１２とは、音響的な容量を持つ空間である。
【００３９】
前部空間Ｒ１１は、音響抵抗（不図示）と連通孔１１１ｈとを介して、左筐体１１の外部の空間と連通する。すなわち、連通孔１１１ｈは、前部空間Ｒ１１と、左筐体１１の外部の空間と、を連通させる孔である。左電気音響変換器１４からの音波のうち、低音域の音波は、連通孔１１１ｈから左筐体１１の外部の空間へ放出される。そのため、左放音ユニット１０が放出する音波の低音域は、抑制される。また、連通孔１１１ｈは、左放音ユニット１０を使用者の左耳に装着するとき（使用者の耳介に装着するとき）に生じる、前部空間Ｒ１１内の圧力の上昇を抑え、左電気音響変換器１４の損傷（例えば、左電気音響変換器１４が備える振動板（不図示）の損傷）を防止する。
【００４０】
左回路基板１５は、後述する電子回路が取り付けられる（実装される）基板である。左回路基板１５は、第２筐体１１Ｂの第２空間Ｒ２に配置される（第２筐体１１Ｂに収容される）。
【００４１】
図４は、ワイヤレスイヤホン１の機能ブロック図である。
【００４２】
左回路基板１５は、受信回路１５１と、信号処理回路１５２と、送信回路１５３と、を実装する。受信回路１５１と、信号処理回路１５２と、送信回路１５３と、は、前述した電子回路の一例である。すなわち、左放音ユニット１０は、受信回路１５１と、信号処理回路１５２と、送信回路１５３と、を備える。左回路基板１５は、例えば、ＰＣＢ（printed circuit board）である。
【００４３】
受信回路１５１は、無線通信回線を介して、音源Ｓからの音声信号を受信する。受信回路１５１が受信する音声信号は、デジタル信号である。受信回路１５１は、受信した音声信号を信号処理回路１５２と送信回路１５３とに伝送する。信号処理回路１５２は、受信回路１５１が受信した音声信号を処理し、処理した信号を左電気音響変換器１４に伝送する。信号処理回路１５２は、例えば、Ｄ／Ａ変換回路である。すなわち、信号処理回路１５２が処理した後の信号（以下「処理信号」という。）は、例えば、デジタル信号がＤ／Ａ変換されたアナログ信号である。送信回路１５３は、受信回路１５１からの音声信号を後述する右放音ユニット２０の受信回路２５１に伝送する。受信回路１５１と、信号処理回路１５２と、送信回路１５３とは、左回路基板１５に取り付けられる。
【００４４】
左バッテリ１６は、左回路基板１５に取り付けられた電子回路を駆動するための電力を、電子回路に供給する。左バッテリ１６は、例えば、ボタン式の小型電池である。左バッテリ１６は、左回路基板１５を介して、受信回路１５１と信号処理回路１５２と送信回路１５３とに電力を供給する。
【００４５】
図３に戻る。
左バッテリ１６は、左回路基板１５と共に、第２筐体１１Ｂの第２空間Ｒ２に配置される。
【００４６】
ここで、左電気音響変換器１４は、連通孔１１２２ｈに挿通された信号線を介して、左回路基板１５に接続される。信号線が挿通された連通孔１１２２ｈは、例えば、接着剤などで埋められて、封鎖される。そのため、左電気音響変換器１４が配置される第１空間Ｒ１は、左回路基板１５と左バッテリ１６とが配置される第２空間Ｒ２から分離される。このように、第１空間Ｒ１と第２空間Ｒ２とが分離されることで、後部空間Ｒ１２の音響特性は、左回路基板１５や左バッテリ１６の影響を受けず、安定する。すなわち、左電気音響変換器１４から第１空間Ｒ１に放出された音波は、左回路基板１５や左バッテリ１６の影響を受けない。その結果、左電気音響変換器１４の音質は、安定する。
【００４７】
このように構成される左放音ユニット１０は、ワイヤレスイヤホン１の使用時に、使用者の左耳に装着される。このとき、第１筐体１１Ａは使用者の左耳の耳甲介腔に配置され、仕切部１１２２（括れ部１１２１）の一部は、使用者の左耳の耳珠と対珠とに支持（配置）され、第２筐体１１Ｂは耳甲介腔の外部に配置される。すなわち、第２筐体１１Ｂは、装着状態において、耳甲介腔の外部に露出する。つまり、装着状態において、左電気音響変換器１４は耳甲介腔の内部に位置し、左回路基板１５や左バッテリ１６などの電気部品は耳甲介腔の外部に位置する。
【００４８】
右放音ユニット２０は、使用者の右耳に装着されて、音源Ｓ（図４参照）からの音声信号に応じた音波を出力する。右放音ユニット２０の構成は、送信回路を備えない点を除いて、左放音ユニット１０の構成と共通する。すなわち、右放音ユニット２０は、右筐体２１と、右音導管（不図示）と、右イヤピース２３と、右電気音響変換器２４と、右回路基板２５と、右バッテリ２６と、を備える。右筐体２１は、第１筐体２１Ａと第２筐体２１Ｂとを備える。右回路基板２５には、受信回路２５１と信号処理回路２５２とが取り付けられる。
【００４９】
●ワイヤレスイヤホンの動作
次に、ワイヤレスイヤホン１の動作について、図４を参照しながら説明する。
【００５０】
音源Ｓからのデジタル信号（音声信号）は、無線通信回線を介して、左放音ユニット１０の受信回路１５１に伝送される。受信回路１５１は、受信したデジタル信号（音声信号）を信号処理回路１５２と送信回路１５３とに伝送する。
【００５１】
信号処理回路１５２は、受信回路１５１から入力されたデジタル信号（音声信号）をアナログ信号（音声信号）に変換し、左電気音響変換器１４に伝送する。左電気音響変換器１４は、信号処理回路１５２から入力されたアナログ信号（音声信号）に基づいた音波を出力する。
【００５２】
一方、送信回路１５３は、受信回路１５１から伝送されたデジタル信号（音声信号）を右放音ユニット２０の受信回路２５１に伝送する。受信回路２５１は、左放音ユニット１０の送信回路１５３から伝送されたデジタル信号（音声信号）を信号処理回路２５２に伝送する。信号処理回路２５２は、受信回路２５１から入力されたデジタル信号（音声信号）をアナログ信号（音声信号）に変換し、右電気音響変換器２４に伝送する。右電気音響変換器２４は、信号処理回路２５２から入力されたアナログ信号（音声信号）に基づいた音波を出力する。
【００５３】
●まとめ
以上説明した実施の形態によれば、左電気音響変換器１４は第１筐体１１Ａの第１空間Ｒ１に収容され、受信回路１５１が取り付けられた左回路基板１５や左バッテリ１６などの電気部品は第２筐体１１Ｂの第２空間Ｒ２に収容される。第１空間Ｒ１は、仕切部１１２２により、第２空間Ｒ２から分離される。その結果、左電気音響変換器１４は、左回路基板１５や左バッテリ１６などの電気部品と空間的に離間して配置される。
【００５４】
左電気音響変換器１４と、左回路基板１５や左バッテリ１６などの電気部品と、が空間的に離間して（分離して）配置されるため、左電気音響変換器１４と同電気部品との物理的な距離を近づけることができる。すなわち、本発明にかかるワイヤレスイヤホンは、電気音響変換器と回路基板やバッテリなどの電気部品とを同じ空間内に配置する従来のイヤホンと比較して、後部空間の音響特性に影響を与えることなく電気音響変換器と同電気部品との物理的な距離は短くて済み、小型になる。
【００５５】
さらに、第１筐体１１Ａが耳甲介腔に配置されているとき、第２筐体１１Ｂは、耳甲介腔の外部に配置される（露出する）。すなわち、左回路基板１５や左バッテリ１６などの電気部品は耳甲介腔の外部に配置され、左電気音響変換器１４は耳甲介腔に配置される。その結果、本発明にかかるワイヤレスイヤホンは、従来のイヤホンと比較して、使用者の装着感を悪化させることなく、耳甲介腔の外部に露出する筐体の容積を減じることができる。また、本発明における電気音響変換器の大きさは、音導管に配置される電気音響変換器や、電気部品と同じ空間に配置される電気音響変換器と比較して大きなものを選択することが可能となる。その結果、本発明にかかるワイヤレスイヤホンでは、電気音響変換器の選択肢の自由度が増して、音質の向上を図ることができる。
【００５６】
このように、本発明にかかるワイヤレスイヤホンは、回路基板やバッテリを筐体に収容する完全ワイヤレスイヤホンでありながら、小型化と、音質への影響の抑制を両立する。
【００５７】
なお、以上説明した実施の形態は、左右の電気音響変換器がアナログ信号を音波に変換する構成であった。これに代えて、左右の電気音響変換器は、デジタル信号を音波に変換する構成でもよい。この場合、信号処理回路は、受信回路が受信した音声信号をデジタル信号の状態で処理（必要な信号の選別、抽出、合成など）し、処理された信号を左右の電気音響変換器に伝送する。
【００５８】
また、第１空間と第２空間とを連通させる連通孔は、接着剤で埋められなくてもよい。この場合、第２空間は、第１空間と共に、電気音響変換器（左右の電気音響変換器）の後部空間として機能する。
【００５９】
さらに、第２ハウジングは、後部空間と左右の筐体（第１筐体）の外部の空間とを連通させる連通孔を備えてもよい。この場合、後部空間は、音響的に左右の筐体の外部の空間の一部とみなすことができる。そのため、後部空間の空気のスチフネスは小さくなり、左右の電気音響変換器が備える振動板の振動は後部空間の空気による制動を受け難くなる。その結果、同連通孔を備えない左右の筐体よりも後部空間の容積を減ずることができ、左右の筐体の小型化を図ることができる。
【符号の説明】
【００６０】
１            ワイヤレスイヤホン
１０          左放音ユニット
１１          左筐体
１１Ａ        第１筐体
１１１        第１ハウジング
１１２        第２ハウジング
１１３        第３ハウジング
１１２２ｈ    連通孔
１１Ｂ        第２筐体
１２          左音導管
１２１Ｒ      内部空間
１３          左イヤピース
１４          左電気音響変換器
１５          左回路基板
１５１        受信回路
１６          左バッテリ
Ｒ１          第１空間
Ｒ２          第２空間
Ｓ            音源
【図１】
2019142375.tif 000003
【図２】
2019142375.tif 000004
【図３】
2019142375.tif 000005
【図４】
2019142375.tif 000006
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
音源からの音声信号に応じた音波を出力する電気音響変換器と、
無線通信回線を介して前記音源からの音声信号を受信する受信回路と、
前記受信回路が取り付けられた回路基板と、
前記回路基板と前記電気音響変換器とを収容する筐体と、
を有してなり、
前記筐体は、
前記電気音響変換器を収容する第１筐体と、
前記回路基板を収容する第２筐体と、
を備える、
ことを特徴とするワイヤレスイヤホン。
【請求項２】
前記音波が通る内部空間を備える音導管、
を備え、
前記第１筐体は、
前記内部空間と連通する第１空間、
を備える、
請求項１記載のワイヤレスイヤホン。
【請求項３】
前記第１筐体は、前記第２筐体と接合し、
前記第２筐体は、
前記第１空間と連通する第２空間、
を備える、
請求項２記載のワイヤレスイヤホン。
【請求項４】
前記第１空間は、前記電気音響変換器により、
前記内部空間と連通する前部空間と、
前記第２空間側に位置する後部空間と、
に区画される、
請求項３記載のワイヤレスイヤホン。
【請求項５】
前記第１筐体は、
第１ハウジングと、
前記第１ハウジングと接合する第２ハウジングと、
を備え、
前記第２筐体は、
前記第２ハウジングと、
前記第２ハウジングと接合する第３ハウジングと、
を備える、
請求項３記載のワイヤレスイヤホン。
【請求項６】
前記第１ハウジングは、前記音導管を備え、
前記第１ハウジングは、前記音導管と一体に構成される、
請求項５記載のワイヤレスイヤホン。
【請求項７】
前記第１ハウジングは、前記音導管と別体に構成され、
前記第１ハウジングは、前記音導管と接合する、
請求項５記載のワイヤレスイヤホン。
【請求項８】
前記第２ハウジングは、
前記第１空間と前記第２空間とを連通させる連通孔、
を備える、
請求項５記載のワイヤレスイヤホン。
【請求項９】
前記第２ハウジングは、
括れ部、
を備え、
前記ワイヤレスイヤホンが使用者の耳に装着されているとき、前記括れ部の一部は、前記耳の対珠に支持される、
請求項５記載のワイヤレスイヤホン。
【請求項１０】
前記電気音響変換器は、前記連通孔に挿通される信号線を介して前記回路基板に接続される、
請求項８記載のワイヤレスイヤホン。
【請求項１１】
前記信号線が挿通されている前記連通孔は、封鎖される、
請求項１０記載のワイヤレスイヤホン。
【請求項１２】
前記第１筐体が耳甲介腔に配置されているとき、前記第２筐体の少なくとも一部は前記耳甲介腔の外部に露出する、
請求項１記載のワイヤレスイヤホン。
【請求項１３】
前記受信回路に電力を供給するバッテリ、
を備え、
前記バッテリは、前記第２筐体に収容される、
請求項１記載のワイヤレスイヤホン。
【請求項１４】
前記受信回路に電力を供給するバッテリ、
を備え、
前記バッテリは、前記第２筐体に収容され、
前記第２筐体は、前記第１筐体の後方に配置され、
前記回路基板は、前記バッテリの後方に配置される、
請求項１記載のワイヤレスイヤホン。
【請求項１５】
前記電気音響変換器が配置される第１空間と、
前記回路基板が配置される第２空間と、
前記第１空間と前記第２空間とを連通させる連通孔と、
を備え、
前記電気音響変換器は、前記連通孔に挿通される信号線を介して前記回路基板に接続され、
前記信号線が挿通されている前記連通孔は、封鎖される、
請求項１記載のワイヤレスイヤホン。
【請求項１６】
前記第１筐体は、
第１ハウジングと、
前記第１ハウジングと接合する第２ハウジングと、
前記第１ハウジングと前記第２ハウジングとにより区画される第１空間と、
を備え、
前記第２筐体は、
前記第１空間と連通する第２空間、
を備え
前記第２ハウジングは、
括れ部と、
前記括れ部の内側に配置される仕切部と、
を備える、
請求項１記載のワイヤレスイヤホン。
【請求項１７】
前記第１空間は、前記仕切部により前記第２空間から分離される、
請求項１６記載のワイヤレスイヤホン。
【手続補正２】
【補正対象書類名】明細書
【補正対象項目名】０００８
【補正方法】変更
【補正の内容】
【０００８】
板である。左回路基板１５は、第２筐体１１Ｂの第２空間Ｒ２に配置される（第２筐体１１Ｂに収容される）。
［００４１］
図４は、ワイヤレスイヤホン１の機能ブロック図である。
［００４２］
左回路基板１５は、受信回路１５１と、信号処理回路１５２と、送信回路１５３と、を実装する。受信回路１５１と、信号処理回路１５２と、送信回路１５３と、は、前述した電子回路の一例である。すなわち、左放音ユニット１０は、受信回路１５１と、信号処理回路１５２と、送信回路１５３と、を備える。左回路基板１５は、例えば、ＰＣＢ（ｐｒｉｎｔｅｄ  ｃｉｒｃｕｉｔ  ｂｏａｒｄ）である。
［００４３］
受信回路１５１は、無線通信回線を介して、音源Ｓからの音声信号を受信する。受信回路１５１が受信する音声信号は、デジタル信号である。受信回路１５１は、受信した音声信号を信号処理回路１５２と送信回路１５３とに伝送する。信号処理回路１５２は、受信回路１５１が受信した音声信号を処理し、処理した信号を左電気音響変換器１４に伝送する。信号処理回路１５２は、例えば、Ｄ／Ａ変換回路である。すなわち、信号処理回路１５２が処理した後の信号（以下「処理信号」という。）は、例えば、デジタル信号がＤ／Ａ変換されたアナログ信号である。送信回路１５３は、受信回路１５１からの音声信号を後述する右放音ユニット２０の受信回路２５１に伝送する。受信回路１５１と、信号処理回路１５２と、送信回路１５３とは、左回路基板１５に取り付けられる。
［００４４］
左バッテリ１６は、左回路基板１５に取り付けられた電子回路を駆動するための電力を、電子回路に供給する。左バッテリ１６は、例えば、ボタン式の小型電池である。左バッテリ１６は、左回路基板１５を介して、受信回路１５１と信号処理回路１５２と送信回路１５３とに電力を供給する。
［００４５］
図３に戻る。
左バッテリ１６は、左回路基板１５と共に、第２筐体１１Ｂの第２空間Ｒ２に配置される。図３に示されるように、第２空間Ｒ２内において、左回路基板１５は、左バッテリ１６の後方に配置される。
［００４６］
ここで、左電気音響変換器１４は、連通孔１１２２ｈに挿通された信号線
【国際調査報告】
2019142375.tif 000007
2019142375.tif 000008